(57)【要約】      （修正有）【課題】ボトルのキャップを外さずにボトル内の水素水（水素が溶融した水）から発生する水素ガス濃度を測定することができるボトルキャップ型水素ガス濃度測定器を提供する。【解決手段】水素ガスセンサー７がボトルキャップ４と一体であるため、ボトルキャップを外さずに、ボトル内の水素水から発生する水素ガスの濃度をボトル内の水素ガスセンサーにより測定することができることを特徴とする。【選択図】図２
0003197572.tif 000002
【実用新案登録請求の範囲】
【請求項１】
水素ガスセンサーがボトルキャップと一体であるため、ボトルキャップを外さずに、ボトル内の水素水（水素が溶存した水）から発生する水素ガスの濃度を測定することができるボトルキャップ型水素ガス濃度測定器。
【請求項２】
ボトル内の水素水から発生する水素ガス濃度を測定することによってボトル内の水素水の溶存水素濃度を類推するボトルキャップ型水素ガス濃度測定器。
【請求項３】
ボトル内の水素水から発生する水素ガスの濃度の変化量を測定することによってボトル内の水素水に沈めた水素発生材（通常スティック状のプラスティック容器内にあるマグネシウム等）の水素発生能力を判断するボトルキャップ型水素ガス濃度測定器。
【請求項４】
ボトル内の水素水から発生する水素ガスの濃度を測定する場合は濃度測定モードに、水素ガスの濃度の変化量を測定する場合は濃度変化モードに切り替えることができるボトルキャップ型水素ガス濃度測定器。
【請求項５】
ボトル内の水素水から発生する水素ガス濃度の測定数値をそのまま数値で表示するまたは測定数値を数段階のレベルで表示するボトルキャップ型水素ガス濃度測定器。
【考案の詳細な説明】
【技術分野】
【０００１】  本考案は、ボトル内の水素水（水素が溶存した水）から発生した水素ガスの水素ガス濃度と水素ガス濃度変化を測定することにより水素水の溶存水素濃度または水素発生材の水素ガス発生能力を推測するボトルキャップ型水素ガス濃度測定器に関するものである。
【背景技術】
【０００２】  細胞の中のミトコンドリアはブドウ糖などからエネルギーを作るが、同時に有害な活性酸素も作ってしまう。その活性酸素が核の中のＤＮＡを傷つけ細胞を破壊したり、ＤＮＡが傷ついた細胞が増殖して癌になる。活性酸素は、特に血管を老化させ、動脈硬化が起こり、心臓病や脳卒中の原因となる。【０００３】  そこで、体内に発生した活性酸素が水素によって取り除かれることを利用して、ペットボトルやアルミ缶の中に水と水素発生材（マグネシウム等）を入れて水素水を生成して飲用することがある。しかし、その際生成された水素水に溶存される水素濃度は測定しないと判らない。【０００４】  水素水に溶存される水素濃度を測定する方法としては、（１）溶存水素濃度判定試薬（メチレンブルー）または（２）溶存水素計による方法がある。（１）溶存水素濃度判定試薬による方法は、専用の容器に一定量の生成された水素水を移して、溶存水素濃度判定試薬を点滴して容器内の水素水のブルーが消えなくるまで点滴し、そのときの点滴数（例えば１滴当たり０．１ｐｐｍ）により溶存水素濃度を判定する方法。（２）溶存水素計による方法は、生成された水素水を別の容器に移して水素センサーを水素水に浸し、溶存水素濃度（ｐｐｍ）を測定する方法。
【先行技術文献】
【０００５】
【特許文献】
【特許文献】  実用新案登録第３１８４１９３号（発効日  平成２５年６月２０日）は酸化還元電位計（ＯＲＰテスター）をペットボトルのキャップ型にすることで、ペットボトルのキャップを外さずに、ペットボトル内の液体（飲用水）を直接測定可能なペットボトルキャップ型酸化還元電位計（ＯＲＰテスター）に関するものである。
【０００６】
【非特許文献】
【非特許文献】（１）溶存水素濃度判定試薬に関する文献、カタログ  ・Ａ  ｃｏｎｖｅｎｉｅｎｔ  ｍｅｔｈｏｄ  ｆｏｒ  ｄｅｔｅｒｍｉｎｉｎｇ  ｔｈｅ  ｃｏｎｃｅｎｔｒａｔｉｏｎ  ｏｆ  ｈｙｄｒｏｇｅｎ  ｉｎ  ｗａｔｅｒ：ｕｓｅ  ｏｆ  ｍｅｔｈｙｌｅｎｅ  ｂｌｕｅ  ｗｉｔｈ  ｃｏｌｌｏｉｄａｌ  ｐｌａｔｉｎｕｍ  ｈｔｔｐ：／／ｗｗｗ．ｍｅｄｉｃａｌｇａｓｒｅｓｅａｒｃｈ．ｃｏｍ／ｃｏｎｔｅｎｔ／ｐｄｆ／２０４５−９９１２−２−１．ｐｄｆ  ・溶存水素濃度判定試薬／トラストネットワーク株式会社  ｈｔｔｐ：／／７ｐｐｍ．ｔｒｕｓｔｗａｔｅｒ．ｊｐ／ｙｏｕｚｏｎ＿ｓｕｉｓｏ．ｈｔｍｌ  （２）溶存水素計に関する文献、カタログ  ・ポータブル溶存水素計ＥＮＨ−１０００／株式会社トラストレックス  ｈｔｔｐ：／／ｗｗｗ．ｔｒｕｓｔｌｅｘ．ｃｏ．ｊｐ／ｐｒｏｄｕｃｔｓ／ｅｎｈ１０００．ｈｔｍｌ  ・溶存水素計（水素濃度測定器）ＫＭ２１００ＤＨ／株式会社ユーピー  ｈｔｔｐ：／／ｗｗｗ．ｕｐ−ｘ．ｃｏｍ／ｐｒｏｄｕｃｔ／ｔｅｓｔｅｒ／ｋｍ２１００ｄｈ．ｈｔｍｌ  （３）水素ガス濃度測定器に関する文献、カタログ  ・超小型ガス検知器ＭｉｎｉＭａｘ  ＸＰ／株式会社エムケー・サイエンティフィック  ｈｔｔｐ：／／ｗｗｗ．ｍｋｓｃｉ．ｃｏｍ／ｐｒｏｄｕｃｔｓ／ｄｅｔａｉｌ／３２６．ｈｔｍｌ  ・水素ポータブル測定器ＦＭ−６１９Ｅ／明光理化学  ｈｔｔｐ：／／ｗｗｗ．ｋｏｍｙｏｋｋ．ｃｏ．ｊｐ／ｋｗｅｂ／ｐｂｄｅｔａｉｌ．ｄｏ？ｂｕｎｒｕｉ＝１１４０＆ｓｅｑｎｏ＝１００＆ｊｅ＝０
【考案の概要】
【考案が解決しようとする課題】
【０００７】  水素水に溶存される水素の濃度を測定する作業として、（１）溶存水素濃度判定試薬による方法は、試薬（メチレンブルー）と専用容器を用意し慎重な点滴の作業をする必要があり、（２）溶存水素計による方法は、測定後にセンサーをきれいな水で洗い流し、保護溶液の入ったセンサー湿潤キャップを取り付けるなどのセンサーの煩雑な取り扱いと保存が必要である。以上のような欠点に鑑み、測定作業が簡便なボトルキャップ型水素ガス濃度測定器を提供することを目的としている。
【課題を解決するための手段】
【０００８】  上記目的を達成するために、ボトルの中の水素水から発生する水素ガス濃度を測定することにより水素水に溶存される水素の濃度を類推する方法である。【０００９】  従来の水素ガス濃度測定器は職場の災害防止や燃料電池車の安全確認を目的にしたものであり、ボトル内の水素ガス濃度を測定するためには寸法、重量、形状、測定方法等が適合するものではない。【００１０】  そこで、水素ガス濃度測定器をボトルのキャップ型にすることで、簡便にボトル内の水素ガス濃度を測定することが可能である。【００１１】  ボトル内の水素ガス濃度または水素ガス濃度の変化を測定することによって、ボトル内の水素水を生成する水素発生材の水素発生能力を類推することが可能である。
【考案の効果】
【００１２】  以上の説明から明らかなように、本考案にあっては次に列挙する効果が得られる。
（１）水素ガスセンサーがボトルキャップと一体であるため、ボトルキャップを外さずに、ボトル内の水素ガス濃度を簡便に測定することができる。【００１３】（２）水素ガスセンサーがボトルキャップと一体であるため、ボトルキャップを外さずに、ボトル内の水素ガス濃度を測定するため、ボトルの外から空気が混入することなく正確な水素ガス濃度を測定することができる。【００１４】（３）水素ガスセンサーが直接水素水に浸ることがないため、水素ガスセンサーの保存が簡便である。
【図面の簡単な説明】
【００１５】
【図１】本考案の平面図
【図２】本考案の断面図
【図３】本考案の状態の正面図
【考案を実施するための形態】
【００１６】  ボトルキャップ型水素ガス濃度測定器でボトル内に発生した水素ガスの水素濃度と水素濃度変化を測定することにより水素水の溶存水素濃度または水素発生材（水素スティック）の水素発生能力を推測することが可能となる。
【実施例】
【００１７】  以下、添付図面に従って説明する。水９と水素ガス発生材（水素水スティック）１０を入れたボトル８にボトルキャップ型水素ガス濃度測定器１１を装着し、ボトルキャップ４上面の電源スイッチ１をＯＮにする。ボトル内に発生した水素ガスは水素ガスセンサー７で感知した信号を回路基板６で変換して表示部３に水素ガス濃度として表示される。バッテリー５は表示部３、回路基板６、水素ガスセンサー７に電力を供給する。モード切替スイッチ２を押すことによりボトル内の水素ガス濃度と水素ガス濃度変化を交互に切り替えて表示される。
【産業上の利用可能性】
【００１８】  ボトルに入った水素水や水素発生材（マグネシウム等）が入った水素水スティックが多く販売されているが、水素水の水素濃度や水素水スティックの水素発生能力の確認が可能となる。
【符号の説明】
【００１９】１  電源スイッチ
２  モード切替スイッチ
３  表示部
４  ボトルキャップ
５  バッテリー
６  回路基板
７  水素ガスセンサー
８  ボトル
９  水
１０  水素ガス発生材（水素水スティック）
１１  ボトルキャップ型水素ガス濃度測定器
【図１】
0003197572.tif 000003
【図２】
0003197572.tif 000004
【図３】
0003197572.tif 000005
【手続補正書】
【提出日】平成27年2月25日(2015.2.25)
【手続補正１】
【補正対象書類名】実用新案登録請求の範囲
【補正対象項目名】全文
【補正方法】変更
【補正の内容】
【実用新案登録請求の範囲】
【請求項１】
水素ガスセンサーがボトルキャップと一体であるため、ボトルキャップを外さずに、ボトル内の水素水（水素が溶存した水）から発生する水素ガスの濃度をボトル内の水素ガスセンサーにより測定することができるボトルキャップ型水素ガス濃度測定器。